(57)【特許請求の範囲】
【請求項１】
入力同期信号が所定の位相差内にあるときは、その同期信号に同期した疑似同期信号を発生し、入力同期信号が所定の位相差を超えたときは、その直前の同期信号の周波数を有する疑似同期信号を発生する疑似同期信号発生手段と、
前記疑似同期信号と入力同期信号とを位相比較し、両者が所定の位相差を超えたとき比較結果信号を出力する位相比較手段と、
前記比較結果信号が複数回連続して出力されたとき入力同期信号が変化したことを示す信号変化判定信号を出力する信号変化判定手段とを設けたことを特徴とするマルチシンク型表示装置。
【請求項２】
前記疑似同期信号発生手段及び位相比較手段は、前記入力同期信号の周期Ｘをカウントする第１のカウンタと、第１のカウンタのカウント結果に基づいてＸ＋Ｗ／２（Ｗ＝所定の位相差に応じた値）をカウントする第２のカウンタと、第１のカウンタのカウント結果に基づいてＸ−Ｗ／２をカウントする第３のカウンタと、第３のカウンタのカウント終了時点と第２のカウンタのカウント終了時点の間に疑似同期信号を発生する疑似同期信号発生回路と、疑似同期信号と入力同期信号とが入力されたとき第２、第３のカウンタのリセット信号を出力するリセット回路とから構成され、第２のカウンタの飽和信号を前記比較結果信号として前記信号変化手段に入力することを特徴とする請求項１記載のマルチシンク型表示装置。
【請求項３】
前記第１のカウンタの複数回のカウント値から安定値を求め、その値を前記第２のカウンタに設定する設定手段を設けたことを特徴とする請求項２記載のマルチシンク型表示装置。
【請求項４】
前記信号変化判定信号と入力同期信号の周波数とに基づいて前記入力同期信号に同期して入力される画像信号の表示を制御する表示制御手段と、表示制御された画像信号を表示する表示素子とを設けたことを特徴とする請求項１，２又は３のいずれかに記載のマルチシンク型表示装置。
【発明の詳細な説明】
【０００１】
【発明の属する技術分野】
本発明は、それぞれ周波数の異なる同期信号を有する複数種類の画像信号を選択的に表示するマルチシンク型表示装置に関するものである。
【０００２】
【従来の技術】
従来より、複数のＰＣ（パーソナルコンピュータ）から出力される異なる同期信号を有する複数種類の画像信号を切り換え選択してその一つを表示するマルチシンク型表示装置においては、画像信号と同期して入力される同期信号の周波数、極性を検出することにより入力同期信号を識別し、識別された同期信号に応じて表示装置の表示を制御するようにしている。
【０００３】
【特許文献１】
特開平６−１１２８２０号公報
【特許文献２】
特開平１０−２７１１０２号公報
【特許文献３】
特開平１０−５１２７２号公報
【０００４】
【発明が解決しようとする課題】
上記のように入力同期信号の周波数や極性を検出して表示を制御する方法では、複数種類の画像信号を切り換えたとき、切り換え前の同期信号と切り換え後の同期信号とが近似すると、同期信号の識別が不可能になり、正常な表示制御を行うことができなくなるという問題があった。特に、液晶等のデジタル表示素子を用いるマルチシンク型表示装置の場合は、同期信号の僅かなずれでも正常な表示を行うことができなくなるため、例えば手動による調整を行う等、ユーザに余計な負担をかけることがあった。この対策として、入力同期信号の周波数検出感度を上げると、単発の同期抜けやノイズ等を誤検出してしまい、検出精度が低下するという問題が生じていた。
【０００５】
本発明は上記の問題を解決するためになされたもので、近似する入力同期信号の識別精度を高くしながら同期抜けやノイズ等による誤検出をなくすことのできるマルチシンク型表示装置を提供することを目的としている。
【０００６】
【課題を解決するための手段】
上記の目的を達成するために、本発明によるマルチシンク型表示装置においては、入力同期信号が所定の位相差内にあるときは、その同期信号に同期した疑似同期信号を発生し、入力同期信号が所定の位相差を超えたときは、その直前の同期信号の周波数を有する疑似同期信号を発生する疑似同期信号発生手段と、前記疑似同期信号と入力同期信号とを位相比較し、両者の位相差が所定の位相差を超えたとき比較結果信号を出力する位相比較手段と、前記比較結果信号が複数回連続して出力されたとき入力同期信号が変化したことを示す信号変化判定信号を出力する信号変化判定手段とを設けている。
従って、本発明によれば、疑似同期信号発生手段は、入力同期信号が所定の位相差内にあれば、その同期信号に同期した疑似同期信号を発生し、入力同期信号が所定の位相差を超えると、その直前の同期信号の周波数を有する疑似同期信号を発生し、位相比較手段は、疑似同期信号と入力同期信号とを位相比較し、両者が所定の位相差を超えたとき比較結果信号を出力し、この比較結果信号が所定のＮ（Ｎ＝２，３…）回連続したとき信号変化と判断するので、入力同期信号が上記所定の位相差内で近似していれば、これを識別することができる。従って、所定の位相差を小さく設定することにより、識別感度を高くすることができると共に、所定回数Ｎを大きく設定することにより、所定の位相差を小さくして識別精度を高くしながら、かつ同期抜けやノイズ等による誤動作を低減することができる。
【０００７】
【発明の実施の形態】
以下、本発明の実施の形態を図面と共に説明する。
図１は本発明の実施の形態によるマルチシンク型表示装置の構成を概念的に示すブロック図である。
図１において、１は、ＰＣ（図示せず）からの画像信号としてのＲ（赤）信号が入力される入力端子、２は、同じくＧ（緑）信号が入力される入力端子、３は、同じくＢ（青）信号が入力される入力端子、４は、Ｒ，Ｇ，Ｂ信号と同期した水平・垂直の同期信号Ｗａが入力される入力端子である。尚、図示せずともＰＣは複数台設けられ、その一つがスイッチで切り換え選択されることにより、上記各信号が各入力端子に入力されるようになされている。
【０００８】
５は、Ｒ，Ｇ，Ｂ信号を識別された入力同期信号に基づいて所定の表示信号に変換する表示制御部、６は、表示信号が供給されて画像を表示する液晶等の表示素子である。
７は、入力同期信号Ｗａの周波数を検出する周波数検出部、８は、検出された周波数に基づいて疑似同期信号Ｗｄを生成する疑似同期信号生成部、９は、疑似同期信号Ｗｄと入力同期信号Ｗａとを位相比較して両者が所定の位相差を超えたとき比較結果信号を出力する位相比較部、１０は、上記比較結果信号が所定回数Ｎ（Ｎ＝２，３…）だけ連続して出力されたとき信号変化判定信号を出力する信号変化判定部である。
【０００９】
次に、上記構成による動作について図２のタイミングチャートを参照して説明する。
入力端子１，２，３には前記スイッチで切り換え選択されたＰＣからＲ，Ｇ，Ｂ信号が入力されて表示制御部５に加えられ、入力端子４にはＲ，Ｇ，Ｂ信号と同期した図２に示す同期信号Ｗａが入力されて位相比較部９と周波数検出部７に加えられる。
【００１０】
周波数検出部７により入力同期信号Ｗａの周波数（周期）が検出され、この検出結果に基づいて疑似同期信号生成部８は、図２に示す疑似同期信号Ｗｄを生成する。この疑似同期信号生成部８は、入力同期信号Ｗａが所定の幅Ｗを有する比較用の窓内にあるときは、その同期信号に同期した疑似同期信号Ｗｄを生成し、同期信号Ｗａが窓を外れたときは、その直前の同期信号の周波数を有する疑似同期信号Ｗｄを生成するように構成されている。
【００１１】
生成された疑似同期信号Ｗｄは位相比較部９において、入力同期信号Ｗａと位相比較され、両者の位相差が所定の大きさを越えたとき、比較結果信号を出力する。信号変化判定部１０は比較結果信号が所定のＮ回連続したとき、前記スイッチの切り換えによる信号変化（同期信号変化）があったものと判断して、信号変化検出信号を出力する。表示制御部５は、この信号変化検出信号に基づいて表示制御のための設定を、周波数検出部７で検出された入力同期信号Ｗａの周波数に応じて変更する。次に、表示制御部５は、スイッチにより切り換えられたＲ，Ｇ，Ｂ信号を上記設定に基づいて表示制御して表示信号を生成し、表示素子６に供給する。これにより、入力同期信号Ｗａに応じた正常な画像を表示することができる。
【００１２】
今、図２において、周波数検出部７が入力同期信号Ｗａの周波数（周期Ｘ）を検出し、このＸの値が幅Ｗの窓内にあれば、疑似同期信号生成部８が周期Ｘと同期した疑似同期信号Ｗｄを発生する。即ち、入力同期信号Ｗａが窓内で近似していればその周期に応じた疑似同期信号Ｗｄが発生される。この状態において、ｔ１ 時点でスイッチが切り換えられて信号変化があったとする。この場合、通常は切り換え後の同期信号と切り換え直前の同期信号との位相がずれる。この位相ずれ量が図示のようにＷを超えていれば、疑似同期信号生成部８はｔ１ 時点の直前の同期信号の周期Ｘと同じ周期を有する疑似同期信号Ｗｄを発生する。
【００１３】
次に、位相比較部９は、入力同期信号Ｗａと疑似同期信号Ｗｄとを位相比較し、両者の位相差がＷを越えたとき比較結果信号を出力する。この比較結果信号は信号変化後の同期信号Ｗａ’が入力される度に出力される。信号変化判定部１０は、比較結果信号が所定回数Ｎだけ連続して得られたとき、信号変化があったものとして信号変化判定信号を出力する。
【００１４】
即ち、ｔ１ 時点後にＷを超える位相差が生じても、その時点ではその位相差が同期抜けやノイズによるものか、実際の信号変化によるものかが分からないので、その位相差が所定回数Ｎだけ連続したときに、信号変化により生じた位相差であると判断するようにしている。
【００１５】
従って、窓の幅Ｗは位相差検出感度、即ち、入力同期信号の識別感度を表すものとなる。また、Ｎは誤検出感度を示すものとなる。即ち、Ｗを小さく設定すれば、識別感度を上げることができる。さらに、Ｎを大きく設定すれば、Ｗを短く設定しても、同期抜けやノイズ等による誤動作を起こす可能性が低くなる。また、Ｎを短く設定すれば短時間での検出が可能となる。
【００１６】
図３は疑似同期信号発生手段としての周波数検出部７及び疑似同期信号生成部８と位相比較部９を含む構成例を示す。
図３において、１１は、入力同期信号周期計測カウンタで、入力同期信号Ｗａの周期Ｘをカウントする。１２は、上記カウンタ１１のカウント結果に基づいてＸ＋Ｗ／２をカウントする疑似同期信号周期生成カウンタである。１３は、カウンタ１１のカウント結果に基づいてＸ−Ｗ／２をカウントする比較用窓期間生成カウンタである。
【００１７】
１４は、上記カウンタ１２のカウント出力Ｗｂと上記カウンタ１３のカウント出力Ｗｃとが入力されて疑似同期信号Ｗｄを出力するＥＸＯＲ回路（排他的論理和回路）、１５は、疑似同期信号Ｗｄと入力同期信号Ｗａとが入力されてカウンタ１２、１３のリセット信号Ｗｒを出力するＡＮＤ回路（論理和回路）である。また、１０は図１の信号変化判定部で、カウンタ１２の飽和信号Ｗｅが所定回数Ｎだけ連続したとき信号変化判定信号を出力する。尚、点線で示すＭＰＵ（マイクロプロセッサ）１６については後述する。
【００１８】
次に、上記構成による動作について図４のタイミングチャートを参照して説明する。
図３、図４において、カウンタ１１により入力同期信号Ｗａの周期Ｘがカウントされると、これに基づいてカウンタ１２，１３がカウントを開始し、各カウンタの出力Ｗｂ，ＷｃがＨに立ち上がる。以下、入力同期信号Ｗａの立ち上がりが幅Ｗの窓内にあれば、カウンタ１２はＸ＋Ｗ／２以内でカウントを続けるので、上記出力ＷｂはＨ期間を続ける。また、カウンタ１３は、Ｘ−Ｗ／２をカウントすると出力Ｗｃが立ち下がる。この出力Ｗｂと出力ＷｃとがＥＸＯＲ回路１４に加えられることにより、このＥＸＯＲ回路１４より、上記窓内で疑似同期信号Ｗｄが得られる。
【００１９】
この疑似同期信号Ｗｄと入力同期信号ＷａとがＡＮＤ回路１５に加えられることにより、このＡＮＤ回路１５よりリセット信号Ｗｒが得られる。このリセット信号Ｗｒによりカウンタ１２，１３は強制的にリセットされる。この場合、カウンタ１３のＸ−Ｗ／２のカウント終了からカウンタ１２のＸ＋Ｗ／２のカウント終了までがリセット受付期間となる。即ち、幅Ｗの窓内に入力同期信号Ｗａの立ち上がりがあれば、この入力同期信号Ｗａによるリセットが行われて、入力同期信号Ｗａに同期した疑似同期信号Ｗｄが出力されることになる。
【００２０】
次に、ｔ１ 時点で信号変化が生じて、入力同期信号Ｗａの周期が短くなり、窓から外れたとする。このため、カウンタ１２はＸ＋Ｗ／２のカウントを終了しても次の同期信号Ｗａ’が来ないのでリセットが行われず、カウントを停止しその出力ＷｂがＬに立ち下がる。これと同時に、Ｈの飽和信号Ｗｅが出力され、信号変化判定部１０に加えられる。信号変化判定部１０が飽和信号Ｗｅを受けるとカウンタ１２はリセットされて飽和信号ＷｅがＬに立ち下がる。信号変化判定部１０は、この飽和信号Ｗｅが連続してＮ回受けたとき、信号変化があったものと判断して、信号変化判定信号を出力する。
【００２１】
次に、図３において点線で示すＭＰＵ１６について説明する。
このＭＰＵ１６は、カウンタ１１が複数回カウントした各カウント値Ｘを取り込んで、例えばその平均値をとる等の方法で安定値を求め、この値をカウンタ１２にセットする。これによって、Ｘのばらつき等を吸収して、動作の安定を図ることができる。また、外部から指示された値でカウンタ１２をセットするようにしてもよい。
【００２２】
【発明の効果】
以上説明したように本発明によれば、入力同期信号が所定の位相差内にあるときは、その同期信号に同期した疑似同期信号を発生し、入力同期信号が所定の位相差を超えたときは、その直前の同期信号の周波数を有する疑似同期信号を発生すると共に、入力同期信号と疑似同期信号とを比較して、その位相差が所定の大位相差を超えたとき比較結果信号を出力し、この比較結果信号が複数回連続して出力されたとき信号変化と判断するように構成したので、上記所定の位相差を小さく設定して、近似する入力同期信号の識別を高い精度で行えるようにしながら、かつ所定回数Ｎを大きく設定することにより、同期抜けやノイズ等による誤動作を低減することができる。
【図面の簡単な説明】
【図１】  本発明の実施の形態によるマルチシンク型表示装置を示すブロック図である。
【図２】  図１の動作を示すタイミングチャートである。
【図３】  図１における周波数検出部７、疑似同期信号作成部８、位相比較部９の構成例を示すブロック図である。
【図４】  図３の動作を示すタイミングチャートである。
【符号の説明】
１  Ｒ信号入力端子
２  Ｇ信号入力端子
３  Ｂ信号入力端子
４  同期信号入力端子
５  表示制御部
６  表示素子
７  周波数検出部
８  疑似同期信号生成部
９  位相比較部
１０  信号変化判定部
１１  入力同期信号周期計測カウンタ
１２  疑似同期信号周期生成カウンタ
１３  比較用窓周期生成カウンタ
１４  ＥＸＯＲ回路
１５  ＡＮＤ回路
１６  ＭＰＵ
【図１】
0003819359.tif 000002
【図２】
0003819359.tif 000003
【図３】
0003819359.tif 000004
【図４】
0003819359.tif 000005